(57)【要約】【課題】  非ＣＥＣ対応機器である映像信号出力装置から映像信号を出力して映像信号表示装置にこの映像信号を表示する際の手間を削減する。【解決手段】リピータ機器の入力部に映像信号が入力されているかどうかを監視する映像信号入力監視部と、この映像信号入力監視部により非ＣＥＣ対応機器であるＰＣから入力部に映像信号が入力されたことが検出されたら、ＴＶの電源投入を指示する信号及び出力部から出力される映像信号のＴＶでの表示を指示する信号を生成し、これら信号を出力部からＴＶに出力させる信号生成部とを設けた。【選択図】図３
2013219520.tif 000002
【特許請求の範囲】
【請求項１】
映像信号を出力する映像信号出力装置と、入力された映像信号を表示する映像信号表示装置との間に介在されるリピータ機器において、
前記映像信号出力装置に接続され、前記映像信号が入力される入力部と、
前記映像信号表示装置に接続され、前記入力部に入力された前記映像信号が出力される出力部と、
前記入力部に映像信号が入力されているかどうかを監視する映像信号入力監視部と、
前記映像信号入力監視部により前記入力部に映像信号が入力されたことが検出されたら、前記映像信号表示装置の電源投入を指示する信号及び前記出力部から出力される映像信号の前記映像信号表示装置での表示を指示する信号を生成し、これら信号を前記出力部から前記映像信号表示装置に出力させる信号生成部と
を備えることを特徴とするリピータ機器。
【請求項２】
前記映像信号入力監視部により前記入力部に映像信号が入力されなくなったことが検出されたら、前記信号生成部は、前記映像信号表示装置の電源断を指示する信号を生成し、この信号を前記出力部から前記映像信号表示装置に出力させる
ことを特徴とする請求項１記載のリピータ機器。
【請求項３】
前記出力部はＨＤＭＩ端子を備え、
前記信号生成部が生成する前記電源投入を指示する信号及び前記表示を指示する信号はＨＤＭＩのＣＥＣコマンドである
ことを特徴とする請求項１または２のいずれかに記載のリピータ機器。
【発明の詳細な説明】
【技術分野】
【０００１】
本発明は、映像信号を出力する映像信号出力装置と、入力された映像信号を表示する映像信号表示装置との間に介在されるリピータ機器に関する。
【背景技術】
【０００２】
ＨＤＭＩ（High-Definition Multimedia
Interface）規格は、デジタル映像信号とデジタル音声信号とを１つのケーブルで送受信できる利便性があるため、地上デジタル放送波を表示する地上デジタル放送対応テレビジョン装置（以下、適宜「ＴＶ」と省略することがある）と、地上デジタル放送波を録画／再生するレコーダ、または映像コンテンツを再生するＢＤ（Blu-ray
Disc）／ＤＶＤ（Digital Versatile Disc）プレーヤとの間を接続するインターフェースとして最近多用されている。
【０００３】
このＨＤＭＩ規格には、ＴＶからレコーダ等を遠隔操作指示することを目的として、ＣＥＣ（Consumer Electronics Control）コマンドが規定されている。ＴＶからＨＤＭＩケーブルを通じてレコーダにＣＥＣコマンドを送信してレコーダに地上デジタル放送波の録画を指示したり、あるいは、レコーダからＴＶにＣＥＣコマンドを送信して、ＴＶの電源投入を指示することができる（詳細は非特許文献１参照）。
【０００４】
ＨＤＭＩ規格は、パーソナルコンピュータ（以下、適宜「ＰＣ」と省略することがある）とモニタとを接続するＤＶＩ（Digital Visual Interface）規格と部分的な互換性を有するため、最近のＰＣでは、ＤＶＩ出力端子に代えてＨＤＭＩ出力端子を備えるものも出現している。このようなＰＣでは、ＨＤＭＩケーブルでＴＶと接続することにより、ＰＣの出力画面をＴＶに表示することが可能となる。
【０００５】
しかしながら、ＰＣの出力インターフェースとしてＨＤＭＩ出力端子が備えられていても、ＰＣではＣＥＣコマンドが想定しているような遠隔操作をする機会は少なく、しかも、ＣＥＣコマンドの送受信を行うためには独自の制御部を必要とするので、コストダウンの観点も含めて、ＨＤＭＩ出力端子を備えているＰＣであっても、ＣＥＣコマンドを送受信し、受信したＣＥＣコマンドに応じてＰＣ全体の制御を行うことの可能なものは極めて少ない。すなわち、従来のＰＣはいわゆる非ＣＥＣ対応機器であることが多かった。
【０００６】
非ＣＥＣ対応機器からの出力に応じて、ＣＥＣコマンドを生成してＴＶを制御する技術としては、例えば特許文献１、特許文献２に開示されたような技術がある。特許文献１に開示された技術では、ＵＰｎＰ（Universal Plug and Play）規格に基づいてＰＣと通信を行う携帯機器からコンテンツ送信が指示されると、ＰＣからＣＥＣコマンドを送信してＴＶにこのコンテンツ再生表示を指示する。特許文献２に開示された技術では、スイッチ装置に接続された非ＣＥＣ対応機器がコンテンツを再生したことをスイッチ装置が検出し、ＣＥＣコマンドを用いてＴＶに対して非ＣＥＣ対応機器への出力切替を指示する。
【先行技術文献】
【特許文献】
【０００７】
【特許文献１】特開２００９−１６９８７号公報
【特許文献２】特開２０１１−１２４６５１号公報
【非特許文献】
【０００８】
【非特許文献１】High-DefinitionMultimedia Interface Specification Version 1.3a, November 2006
【発明の概要】
【発明が解決しようとする課題】
【０００９】
しかしながら、上述した従来の技術では、映像信号の出力先であるＴＶ等の電源が投入されていることを前提として、非ＣＥＣ対応機器がコンテンツを再生したことをトリガにＣＥＣコマンドを生成してＴＶ等を遠隔制御していた。従って、ＴＶ等が電源断（スタンバイ状態を含む）されている場合は、ＴＶのリモコン等を用いて別途電源投入を指示する手間が生じていた。
【００１０】
本発明は上述した課題に鑑みてなされたものであり、その目的は、非ＣＥＣ対応機器である映像信号出力装置から映像信号を出力して映像信号表示装置にこの映像信号を表示する際の手間を削減できることの可能なリピータ機器を提供することにある。
【課題を解決するための手段】
【００１１】
本発明は、映像信号を出力する映像信号出力装置と、入力された映像信号を表示する映像信号表示装置との間に介在されるリピータ機器に適用される。
そして、リピータ機器は、映像信号出力装置に接続され、映像信号が入力される入力部と、映像信号表示装置に接続され、入力部に入力された映像信号が出力される出力部と、入力部に映像信号が入力されているかどうかを監視する映像信号入力監視部と、映像信号入力監視部により入力部に映像信号が入力されたことが検出されたら、映像信号表示装置の電源投入を指示する信号及び出力部から出力される映像信号の映像信号表示装置での表示を指示する信号を生成し、これら信号を出力部から映像信号表示装置に出力させる信号生成部とを備えることを特徴とする。
【００１２】
映像信号監視部は、映像信号出力装置からの映像信号が入力部に入力されているかどうかを監視し、この映像信号監視部により、映像信号が入力部に入力されたことが検出されたら、信号生成部は、映像信号表示装置の電源投入を指示する信号及び出力部から出力される映像信号の映像信号表示装置での表示を指示する信号を生成し、これら信号を出力部から映像信号表示装置に出力させる。これにより、映像信号表示装置の電源が投入され、映像信号がこの映像信号表示装置により表示される。
【００１３】
ここで、映像信号入力監視部により入力部に映像信号が入力されなくなったことが検出されたら、信号生成部は、映像信号表示装置の電源断を指示する信号を生成し、この信号を出力部から映像信号表示装置に出力させてもよい。これにより、映像信号表示装置が電源断状態となる。
【００１４】
また、出力部はＨＤＭＩ端子を備えてもよく、この場合、信号生成部が生成する電源投入を指示する信号及び表示を指示する信号はＨＤＭＩのＣＥＣコマンドとされる。
【発明の効果】
【００１５】
本発明のリピータ機器では、映像信号監視部により映像信号が入力部に入力されたことが検出されたら、信号生成部は、映像信号表示装置の電源投入を指示する信号及び出力部から出力される映像信号の映像信号表示装置での表示を指示する信号を生成し、これら信号を出力部から映像信号表示装置に出力させる。従って、本発明によれば、非ＣＥＣ対応機器である映像信号出力装置からの映像信号を映像信号表示装置に表示させる際に、その都度映像信号表示装置の電源投入を別途ユーザが行う必要がなくなり、映像信号出力装置から映像信号を出力して映像信号表示装置にこの映像信号を表示する際の手間を削減することが可能となる。
【図面の簡単な説明】
【００１６】
【図１】本発明の一実施形態であるリピータ機器が適用される映像信号表示システムを示すブロック図である。
【図２】映像信号表示システムに用いられるＰＣの概略構成を示すブロック図である。
【図３】本発明の一実施形態であるリピータ機器の概略構成を示すブロック図である。
【図４】映像信号表示システムに用いられるＴＶの概略構成を示すブロック図である。
【図５】ＨＤＭＩ規格の概略を説明するための図である。
【図６】一実施形態の映像信号表示システムの動作を説明するためのシーケンス図である。
【図７】一実施形態の映像信号表示システムの動作を説明するための他のシーケンス図である。
【発明を実施するための形態】
【００１７】
以下、図面を参照して、本発明の一実施形態であるリピータ機器について説明する。
【００１８】
（ＨＤＭＩ規格の概要）
本発明の一実施形態であるリピータ機器の説明に先立って、ＨＤＭＩ規格の概要についてまず説明する。
【００１９】
図５は、ＨＤＭＩ規格の概略を説明するためのブロック図である。ＨＤＭＩ規格において、ＨＤＭＩ入力端子を持ちＡＶストリーム（映像信号および音声信号）を表示出力するものはシンク（Sink）機器と、ＨＤＭＩ出力端子を持ちＡＶストリームを出力するものはソース（Source）機器と、ＨＤＭＩ入力端子と出力端子を持ちＡＶストリームの入出力（転送）を行うものはリピータ（Repeater）機器と定義されている。
【００２０】
図５のブロック図では、シンク機器とソース機器とがＨＤＭＩケーブルによって接続された状態が示されている。ＨＤＭＩケーブルは、ＡＶストリームを伝送するＴＭＤＳ（Transition Minimized Differential Signaling）チャンネル０〜２と、シンク機器の性能、特性などを示すＥＤＩＤ（Extended Display Identification Data）などを伝送するＤＤＣ（Display Data Channel）ラインと、ＣＥＣコマンドを伝送するＣＥＣラインと、ホットプラグ検出ピンの電圧を制御することによってＥＤＩＤをソース機器に読み出させることなどに利用されるＨＰＤ（Hot Plug Detect）信号を伝送するＨＰＤラインと、接続検知のためにソース機器によって電圧（対グランド電位）が５Ｖに制御される５Ｖ電力ラインとを備えている。
ＨＤＭＩ規格に準拠したシンク機器は、ＥＤＩＤを内部メモリに持っている。このＥＤＩＤは、シンク機器と接続されるソース機器に、シンク機器の機種名や設定値（解像度など）を伝えるためのシンク機器独自のＩＤである。
【００２１】
また、ＨＤＭＩ規格においては、ＨＤＭＩケーブルにより接続されたシンク機器、ソース機器、リピータ機器のそれぞれ（全体をＨＤＭＩネットワークと称することもある）には物理アドレスが割り当てられ、さらに、ＣＥＣ対応機器には論理アドレスが割り当てられる。
【００２２】
物理アドレスは、ルートデバイスであるソース機器からのパスを示す４桁の自然数によって表現される。例えば、シンク機器（テレビ）のｘ番目のＨＤＭＩ入力端子に接続されたソース機器Ｘには物理アドレス（ｘ，０，０，０）が割り振られ、ソース機器Ｘのｙ番目のＨＤＭＩ入力端子に接続されたソース機器Ｙには物理アドレス（ｘ，ｙ，０，０）が割り振られる。なお、ルートデバイスであるシンク機器であるテレビには物理アドレス（０，０，０，０）が割り振られる。
【００２３】
論理アドレスは、機器種別（テレビ、レコーダ、プレーヤ、チューナ、オーディオの何れか）を示す１から１５までの自然数によって表現される。例えば、テレビには論理アドレス「０」が割り振られ、１台目のレコーダには論理アドレス「１」が割り振られ、２台目のレコーダには論理アドレス「２」が割り振られる。なお、論理アドレス「１５」は、ＨＤＭＩネットワーク内に存在する機器の全てに対してＣＥＣコマンドを送信する（ブロードキャスト）際に用いられる論理アドレスである。
シンク機器にＨＤＭＩ接続された外部機器は、このような論理アドレスと物理アドレスを持つために、たとえ複数台の外部機器が接続されていても、特定の１台を指定してＣＥＣメッセージを送信することが可能となる。
【００２４】
（映像信号表示システムの概略構成）
図１は、本発明の一実施形態であるリピータ機器が適用される映像信号表示システムの概略構成を説明するためのブロック図である。図１に符号１０で示される映像信号表示システムは、映像信号出力装置であるＰＣ２０、本発明の一実施形態であるリピータ機器３０及び映像信号表示装置であるＴＶ４０が順にＨＤＭＩケーブル６０、６１により接続されて構成されている。図中、実線で示す矢印はＡＶストリームの流れを示し、ＰＣ２０から出力されたＡＶストリームはリピータ機器３０を介してＴＶ４０に出力される。また、点線で示す矢印はＣＥＣコマンドの流れを示し、リピータ機器３０のＣＥＣコマンド生成部３３ｂにより生成されたＣＥＣコマンドがＴＶ４０に出力される。
【００２５】
（ＰＣの概略構成）
図２は、映像信号表示システム１０を構成するＰＣ２０の概略構成を説明するためのブロック図である。図２において、ＰＣ２０は、ＣＰＵ（Central Processing Unit）２１、ＲＯＭ（Read Only Memory）２２、ＲＡＭ（Random Access Memory）２３、入力インターフェース（Ｉ／Ｆ）２４、出力インターフェース（Ｉ／Ｆ）２５及びＨＤＭＩトランスミッタ２６を備え、これらはバスを介して互いに接続されている。
【００２６】
ＣＰＵ２１は、ＰＣ２０全体の制御を行う。ＲＯＭ２２には、ＰＣ２０起動時の動作制御を行うＯＳ等のプログラムが格納され、ＰＣ２０起動時等においてＲＯＭ２２内に格納されたプログラムが読み出され、ＲＡＭ２３に展開される等した後で実行されることでＰＣ２０の各種制御が行われる。ＲＡＭ２３には、上述のようにプログラムが展開され、また、作業中の各種データが一時保管される。入力インターフェース２４は、外部にあるマウス、キーボード等の入力装置２７との間で信号の授受を行い、この入力装置２７からの入力指示を受け付ける。出力インターフェース２５は、外部にある出力装置２８との間で信号の授受を行い、この出力装置２８に信号を出力する。ＨＤＭＩトランスミッタ２６の詳細については後述する。
【００２７】
（リピータ機器の概略構成）
図３は、本発明の一実施形態であるリピータ機器３０の概略構成を説明するためのブロック図である。図３において、リピータ機器３０は、ＨＤＭＩレシーバ（入力部）３１、ＨＤＭＩトランスミッタ（出力部）３２、ＣＰＵ３３、ＲＯＭ３４、ＲＡＭ３５を備え、これらはバスを介して互いに接続されている。
【００２８】
ＨＤＭＩレシーバ３１は、リピータ機器３０のＨＤＭＩ入力端子（図略）に接続されたソース機器（本実施形態ではＰＣ２０）からＡＶストリームを受信するためのインターフェースである。
【００２９】
ＨＤＭＩレシーバ３１は、ＴＭＤＳレシーバ３１１、ＤＤＣインターフェース（Ｉ／Ｆ）３１２、ＣＥＣインターフェース（Ｉ／Ｆ）３１３、ＨＰＤ制御部３１４、５Ｖ・Ｐｏｗｅｒ検知部３１５及びＥＤＩＤ格納部３１６を備えている。ＨＤＭＩレシーバ３１の各部はＣＰＵ３３によって制御される。
【００３０】
ＴＭＤＳレシーバ３１１は、ＨＤＭＩケーブルのＴＭＤＳラインを介して伝送されたＡＶストリームを受信するためのインターフェースである。ＴＭＤＳレシーバ３１１が受信したコンテンツは、後述するＨＤＭＩトランスミッタ３２のＴＭＤＳトランスミッタ３２１に供給される。
【００３１】
ＤＤＣインターフェース３１２は、ＨＤＭＩケーブルのＤＤＣラインを介してＥＤＩＤを送信するためのインターフェースである。ＤＤＣインターフェース３１２が送信するＥＤＩＤは、ＥＤＩＤ格納部３１６から読み出される。ＥＤＩＤ格納部３１６は、ＥＤＩＤを格納するための書き換え可能なメモリである。
【００３２】
ＣＥＣインターフェース３１３は、ＨＤＭＩケーブルのＣＥＣラインを介して伝送されたＣＥＣコマンドを送受信するためのインターフェースである。ＣＥＣインターフェース３１３が受信したＣＥＣコマンドはＣＰＵ３３に供給され、また、ＣＥＣインターフェース３１３が送信するＣＥＣコマンドはＣＰＵ３３から供給される。
【００３３】
５Ｖ・Ｐｏｗｅｒ検知部３１５は、ＨＤＭＩケーブルの５Ｖ電力ラインが接続される５Ｖ電力ピンの電圧をモニタし、その立ち上がりタイミングを検知する。５Ｖ電力ピンの電圧が５Ｖに立ち上がったことを検知すると、５Ｖ・Ｐｏｗｅｒ検知部３１５は、ソース機器との接続が確立されたことをＣＰＵ３３及びＨＰＤ制御部３１４に通知する。ＨＰＤ制御部３１４は、５Ｖ・Ｐｏｗｅｒ検知部３１５からこの通知を受けると、ＨＤＭＩケーブルのＨＰＤラインが接続されるＨＰＤピンの電圧をＨレベルに立ち上げる。
【００３４】
ＨＤＭＩ入力端子に接続されたソース機器のＨＤＭＩトランスミッタ（図４においては、ＰＣ２０のＨＤＭＩトランスミッタ２６）は、ＨＤＭＩケーブルのＨＰＤラインに接続されるＨＰＤピンの電圧がＨレベルに立ち上がると、ＨＤＭＩレシーバ３１のＥＤＩＤ格納部３１６に格納されたＥＤＩＤをＤＤＣラインを介して読み出す。
【００３５】
ＨＤＭＩトランスミッタ３２は、リピータ機器３０のＨＤＭＩ出力端子（図略）に接続されたシンク機器（本実施形態ではＴＶ４０）にＡＶストリームを送信すると共に、シンク機器との間でＣＥＣコマンドを送受信するためのインターフェースである。
【００３６】
ＨＤＭＩトランスミッタ３２は、ＴＭＤＳトランスミッタ３２１、ＤＤＣインターフェース（Ｉ／Ｆ）３２２、ＣＥＣインターフェース（Ｉ／Ｆ）３２３、ＨＰＤ検知部３２４及び５Ｖ・Ｐｏｗｅｒ制御部３２５を備えている。ＨＤＭＩトランスミッタ３２の各部はＣＰＵ３３によって制御される。
【００３７】
ＴＭＤＳトランスミッタ３２１は、ＨＤＭＩケーブルのＴＭＤＳラインを介してＡＶストリームを送信するためのインターフェースである。ＴＭＤＳトランスミッタ３２１が送信するＡＶストリームは、ＨＤＭＩレシーバ３１のＴＭＤＳレシーバ３１１から供給される。
【００３８】
ＤＤＣインターフェース３２２は、ＨＤＭＩケーブルのＤＤＣラインを介して伝送されたＥＤＩＤを受信するためのインターフェースである。ＤＤＣインターフェース３２２が受信したＥＤＩＤはＣＰＵ３３に供給される。
【００３９】
ＣＥＣインターフェース３２３は、ＨＤＭＩケーブルのＣＥＣラインを介して伝送されたＣＥＣコマンドを送受信するためのインターフェースである。ＣＥＣインターフェース３２３が受信したＣＥＣコマンドはＣＰＵ３３に供給され、また、ＣＥＣインターフェース３２３が送信するＣＥＣコマンドはＣＰＵ３３から供給される。
【００４０】
５Ｖ・Ｐｏｗｅｒ制御部３２５は、ＨＤＭＩ出力端子に接続されたシンク機器がリピータ機器３０に接続されたことを検知できるよう、ＨＤＭＩケーブルの５Ｖ電力ラインに接続される５Ｖ電力ピンの電圧を５Ｖに制御する。ＨＰＤ検知部３２４は、ＨＤＭＩケーブルのＨＰＤラインが接続されるＨＰＤピンの電圧をモニタし、その立ち上がりタイミングを検知する。ＨＰＤピンの電圧がＨレベルに立ち上がったことを検知すると、ＨＰＤ検知部３２４は、シンク機器との接続が確立されたことをＣＰＵ３３及びＤＤＣインターフェース３２２に通知する。
【００４１】
上述したＤＤＣインターフェース３２２は、ＨＰＤ検知部３２４からこの通知を受けると、ＨＤＭＩ出力端子に接続されたシンク機器からＤＤＣラインを介してＥＤＩＤを読み出す。
【００４２】
ＣＰＵ３３は、リピータ機器３０全体の制御を行う。ＲＯＭ３４には、リピータ機器３０起動時の動作制御を行うファームウェア等のプログラムが格納され、リピータ機器３０起動時等においてＲＯＭ３４内に格納されたプログラムが読み出され、ＲＡＭ３５に展開される等した後でＣＰＵ３３により実行されることでリピータ機器３０の各種制御が行われる。またＣＰＵ３３は映像信号監視部３３ａ及びＣＥＣコマンド生成部３３ｂとしても動作する。ここに、映像信号監視部３３ａは、ＨＤＭＩケーブルを介してＨＤＭＩ入力端子に接続されたソース機器（本実施形態ではＰＣ２０）からＨＤＭＩレシーバ３１（より詳細にはＴＭＤＳレシーバ３１１）に映像信号が入力されたかどうかを監視する機能を有する。また、ＣＥＣコマンド生成部３３ｂは、ＨＤＭＩ入力端子に接続されたソース機器が非ＣＥＣ対応機器である場合に、映像信号入力をトリガとして適切なＣＥＣコマンドを生成し、ＨＤＭＩケーブルを介してＨＤＭＩ出力端子に接続されたシンク機器（本実施形態ではＴＶ４０）にＣＥＣコマンドを送出する。これら映像信号監視部３３ａ及びＣＥＣコマンド生成部３３ｂの動作の詳細については後述する。ＲＡＭ３５には、上述のようにプログラムが展開され、また、作業中の各種データが一時保管される。
【００４３】
なお、図３にはＰＣ２０のＨＤＭＩトランスミッタ２６及びＴＶ４０のＨＤＭＩレシーバ５１についても図示してある。ＨＤＭＩトランスミッタ２６の構成は、リピータ機器３０のＨＤＭＩトランスミッタ３２の構成と略同一であるが、ＰＣ２０は非ＣＥＣ対応機器であるために、ＣＥＣインターフェースを備えていない。一方、ＴＶ４０のＨＤＭＩレシーバ５１は、リピータ機器３０のＨＤＭＩレシーバ３１の構成と略同一である。
【００４４】
（ＴＶの概略構成）
図４は、映像信号表示システム１０を構成するＴＶ４０の概略構成を示すブロック図である。図４において、ＴＶ４０は、チューナ部４１、ＴＶ信号処理部４２、合成処理部４３、出力処理部４４、音声出力部４５、表示部４６、制御部４７、操作入力部４８、リモコンインターフェース（Ｉ／Ｆ）４９、受光部５０、ＨＤＭＩレシーバ５１を備える。
【００４５】
チューナ部４１は、アンテナＡＴから受信した放送信号の中からユーザが指定したチャンネルの選局処理を行う。ＴＶ信号処理部４２は、チューナ部４１で選局されたＴＶ信号を処理し、映像信号及び音声信号を合成処理部４３に出力する。合成処理部４３には、ＴＶ信号処理部４２からの映像信号及び音声信号に対して、図示しないデータ放送処理部やブラウザ処理部からの画像信号、及びＨＤＭＩレシーバ５１からの映像信号及び音声信号が入力され、合成処理部４３は、ＴＶ信号処理部４２からの映像・音声信号とＨＤＭＩレシーバ５１からの映像・音声信号とを適宜切り換え、これらを合成処理して出力処理部４４に出力する。
【００４６】
出力処理部４４は、合成処理部４３からの映像信号を各種の設定パラメータに基づいてコントラスト、輝度、彩度などの補正処理を行って表示部４６に出力すると共に、音声信号の音量調整、音質調整及び増幅を行い、スピーカなどの音声出力部４５に出力する。
【００４７】
制御部４７は、各種演算を行うＣＰＵ４７ａと、各種処理プログラムが格納されているＲＯＭ４７ｂと、ワークメモリとしてのＲＡＭ４７ｃとを備える。この制御部４７は、チューナ部４１のチャンネル切り換えをはじめＴＶ信号処理部４２、合成処理部４３及び出力処理部４４に対して制御を行う。
【００４８】
また、制御部４７には、操作入力部４８とリモコンインターフェース４９が接続されており、リモコン（リモートコントローラ）５２からの操作信号を受信する受光部５０がリモコンインターフェース４９に接続されている。操作入力部４８は、キーやボタン、タッチパネル等を備える。これらリモコン５２及び操作入力部４８は、ユーザによる操作に応じて操作信号を制御部４７に対して出力する。
【００４９】
さらに、制御部４７にはＨＤＭＩレシーバ５１が接続され、ＨＤＭＩレシーバ５１には、ＨＤＭＩケーブルを介してリピータ機器３０が接続される。
【００５０】
（リピータ機器の動作）
次に、図６及び図７のシーケンス図を参照して、本実施形態のリピータ機器３０の動作について説明する。
【００５１】
本実施形態のリピータ機器３０は、ＨＤＭＩ入力端子に接続されたソース機器（本実施形態ではＰＣ２０）からの５Ｖ信号を検出することで、ソース機器がＨＤＭＩ入力端子に接続されたことを認識すると共に、ＨＤＭＩ入力端子に接続されたソース機器がＣＥＣ対応機器であるか否かを判定する。
【００５２】
通常、ＣＥＣ対応機器のシンク機器は、電源投入時等において、自身のＨＤＭＩ入力端子に接続されたソース機器、リピータ機器をマッピングするために、<give physical address>というＣＥＣコマンドをブロードキャストで外部機器に送信する。これに対して外部機器は自身の物理アドレスを知らせるための<report
physical address>を返信する。そこで、リピータ機器３０に接続されたソース機器がＣＥＣ対応機器か否かの判定に、この<give
physical address>を利用することができる。
【００５３】
具体的には、図６においてＰＣ２０の電源が投入されたら（ステップＳ１）、ＰＣ２０はＨＤＭＩトランスミッタ２６を介してＨＤＭＩ出力端子の５Ｖ電力ピンの電圧を５Ｖに立ち上げる。（ステップＳ２）。リピータ機器３０のＨＤＭＩレシーバ３１の５Ｖ・Ｐｏｗｅｒ検知部３１５は、５Ｖ電力ピンの電圧が５Ｖに立ち上がったことを検知すると、ソース機器との接続が確立されたことをＣＰＵ３３に通知する。
【００５４】
ＣＰＵ３３は、ＨＤＭＩレシーバ３１のＣＥＣインターフェース３１３を介して、<give physical address>というＣＥＣコマンドをブロードキャストでＨＤＭＩ入力端子からソース機器（ＰＣ２０）に送信し、ソース機器に対して自身の物理アドレス送信を要求する（ステップＳ３）。
【００５５】
ソース機器がＣＥＣ対応機器であれば、リピータ機器３０からの物理アドレス送信要求に対して自身の物理アドレスを知らせるための<report physical address>を返信することができるが、本実施形態においてはＰＣ２０は非ＣＥＣ対応機器であるため、かかるＣＥＣコマンドを返信することはない。リピータ機器３０は、ソース機器から<report
physical address>なるＣＥＣコマンドをＨＤＭＩレシーバ３１のＣＥＣインターフェース３１３により受信したか否かを判断し、受信した場合はソース機器はＣＥＣ対応機器であり、受信しない場合はソース機器は非ＣＥＣ対応機器であると判定する（ステップＳ４）。
【００５６】
そして、リピータ機器３０は、ＨＤＭＩ入力端子に接続されたＰＣ２０の物理アドレス及び論理アドレスを通知するＣＥＣコマンドをＴＶ４０に送信する（ステップＳ５）。ここで、ＰＣ２０は非ＣＥＣ対応機器であるため、物理アドレスはＰＣ２０から通知されない。このため、ＣＰＵ３３のＣＥＣコマンド生成部３３ｂは、ＰＣ２０に適切と思われる物理アドレス及び論理アドレスを割り当て、対応するＣＥＣコマンドを生成する。ＰＣ２０に適切と考えられる論理アドレスの例としては、ＢＤ／ＤＶＤプレーヤに割り当てられるPlayback Device（４、８、１１のいずれか）が好適である。
【００５７】
なお、図６における図示は省略するが、ＰＣ２０がＣＥＣ対応機器であった場合、ステップＳ３におけるリピータ機器３０からの物理アドレス送信要求に対して、ＰＣ２０は自身の物理アドレスを知らせるための<report physical address>を返信することができる。従って、リピータ機器３０は、ＰＣ２０から返信された物理コマンドに基づいて、ＨＤＭＩ入力端子に接続されたＰＣ２０の物理アドレス及び論理アドレスを通知するＣＥＣコマンドをＴＶ４０に送信する。これは、ＨＤＭＩ規格に定めたとおりの動作である。
【００５８】
次いで、図７において、ＰＣ２０のＨＤＭＩトランスミッタ２６のＴＤＭＳトランスミッタを介してＡＶストリームが送出されると（ステップＳ１０）、リピータ機器３０のＨＤＭＩレシーバ３１のＴＤＭＳレシーバ３１１がこれを受信する。ＣＰＵ３３の映像信号監視部３３ａは、ＴＤＭＳレシーバ３１１が映像信号を受信しているか否かを監視しており、映像信号監視部３３ａが映像信号の受信を検出したら（ステップＳ１１）、リピータ機器３０は、ＴＶ４０を遠隔起動させ、このＴＶ４０においてこの映像信号を表示させるための動作を指示した後、ＡＶストリームをＴＶ４０に送出する（ステップＳ１２）。
【００５９】
具体的には、ＣＰＵ３３のＣＥＣコマンド生成部３３ｂは、出力したＡＶストリームを表示する指令である<image view on>というＣＥＣコマンドを生成し、ＣＰＵ３３は、この生成されたＣＥＣコマンドをＨＤＭＩトランスミッタ３２のＣＥＣインターフェース３２３を介してＴＶ４０に送出する。これにより、ＴＶ４０の電源が投入され、ＡＶストリームの入力を待機する状態となる。その後、さらにＣＥＣコマンド生成部３３ｂが、ＴＶ４０に対して送出したＡＶストリームへの出力切替を指示する<active
source>というＣＥＣコマンドを生成し、ＣＰＵ３３はこの生成されたＣＥＣコマンドをＨＤＭＩトランスミッタ３２のＣＥＣインターフェース３２３を介してＴＶ４０に送出する。この後、ＨＤＭＩトランスミッタ３２からＡＶストリームをＴＶ４０に送出すれば、送出されたＡＶストリームがＴＶ４０に表示される（ステップＳ１３）。
【００６０】
以上説明したように、本実施形態のリピータ機器３０によれば、非ＣＥＣ対応機器であるＰＣ２０が接続された場合でも、ＰＣ２０から映像信号が出力されたことをトリガとしてＴＶ４０の電源を投入させ、ＰＣ２０からの映像信号をＴＶ４０に表示することができる。これにより、ＰＣ２０からの映像信号をＴＶ４０に表示する際に、その都度ＴＶ４０の電源投入を別途ユーザが行う必要がなくなり、非ＣＥＣ対応機器であるＰＣ２０から映像信号を出力して映像信号表示装置にこの映像信号を表示する際の手間を削減できることが可能になる。
【００６１】
（変形例）
なお、本発明のリピータ機器は、その細部が上述した一実施形態の構成に限定されず、種々の変形が可能である。
一例として、一実施形態のリピータ機器３０では、ＰＣ２０からの映像信号入力をトリガとしてＴＶ４０の電源投入を指示し、このＴＶ４０による映像信号表示を行ったが、ＰＣ２０からの映像信号入力が終了したことをトリガとして、ＴＶ４０の電源断を指示してもよい。
【００６２】
具体的には、リピータ機器３０の映像信号監視部３３ａが、ＰＣ２０からの映像信号入力が終了した、つまり映像信号が入力されなくなったことを判定し、ＣＥＣコマンド生成部３３ｂがＴＶ４０の電源断を指示するＣＥＣコマンドを生成してこれをＨＤＭＩトランスミッタ３２からＴＶ４０に送信しても良い。このようなＣＥＣコマンドとしては、<standby>なるＣＥＣコマンドが知られている。<standby>コマンドがＨＤＭＩネットワークにブロードキャストされると、このＨＤＭＩネットワーク内のＣＥＣ対応機器は全てスタンバイ状態となる。このとき、ＰＣ２０は非ＣＥＣ対応機器であるから、<standby>コマンドの影響を受けない。
【００６３】
また、上述の一実施例では、ＰＣ２０のＨＤＭＩトランスミッタ２６のＴＤＭＳトランスミッタを介してＡＶストリームが送出されることをトリガとして、出力したＡＶストリームを表示する指令である<image view on>というＣＥＣコマンドを生成し、ＣＰＵ３３は、この生成されたＣＥＣコマンドをＨＤＭＩトランスミッタ３２のＣＥＣインターフェース３２３を介してＴＶ４０に送出し、これによりＴＶ４０を遠隔起動させ、このＴＶ４０においてこの映像信号を表示させるための動作を指示していた。しかし、ＴＶ４０を遠隔起動させ、このＴＶ４０においてこの映像信号を表示させるための動作を指示するためのトリガはこれに限定されず、ＰＣ２０からＡＶストリーム（少なくとも映像信号）が送出されることをリピータ機器３０が検出できるものであれば他の信号、動作をトリガとしてもよい。一例として、ＨＤＭＩ規格では、既に説明したように、５Ｖ電源供給後にソース機器（この場合はＰＣ）はＥＤＩＤ格納部３１６に格納されたＥＤＩＤを読み取る動作を行う。従って、リピータ機器３０の映像信号監視部３３ａは、このＥＤＩＤ読取動作があったことを検出し、これをもってＰＣ２０から映像信号が送出されるものと判断してもよい。すなわち、本明細書において、「映像信号が入力された」とは、映像信号入力に先行し、その準備として必須とする信号、動作を検出することも含まれる。
【００６４】
また、上述した一実施形態のリピータ機器３０は単一のＨＤＭＩ入力端子及びＨＤＭＩレシーバ３１を備えていたが、複数のＨＤＭＩ入力端子及びＨＤＭＩレシーバ３１を備えても良い。この場合、最後に（つまり最新の）映像信号の入力が開始されたＨＤＭＩ入力端子からのＡＶストリームをＴＶ４０に出力すれば良い。
【００６５】
さらに、一実施形態のリピータ機器３０はＨＤＭＩ入力端子及びＨＤＭＩレシーバ３１を備えていたが、代わりに、あるいは追加でＤＶＩ入力端子を備えても良い。ＤＶＩ入力端子においては、ＨＤＭＩ入力端子と同様に５Ｖ入力ピンを備えるので、上述の一実施例と同様に５Ｖ入力ピンへの５Ｖ電源供給をトリガとしてリピータ機器３０の動作を開始させることができる。また、ＤＶＩ規格では、ＨＤＭＩ規格と同様に、ＤＶＩケーブルによる接続後にＥＤＩＤを読み取っているので、上述した変形例で述べたように、ＥＤＩＤ読取動作をもって映像信号送出と判断することも可能である。また、一実施形態ではＴＶ４０を映像信号表示装置としていたが、ＣＥＣ対応機器であるモニタを映像信号表示装置としてもよい。
【符号の説明】
【００６６】
１０  映像信号表示システム
２０  ＰＣ
２１、３３、４７ａ  ＣＰＵ
２２、３４、４７ｂ  ＲＯＭ
２３、３５、４７ｃ  ＲＡＭ
２４  入力インターフェース
２５  出力インターフェース
２６  ＨＤＭＩトランスミッタ
３０  リピータ機器３０
３１  ＨＤＭＩレシーバ３１
３２  ＨＤＭＩトランスミッタ
３１１  ＴＭＤＳレシーバ
３１２、３２２  ＤＤＣインターフェース
３１３、３２３  ＣＥＣインターフェース
３１４  ＨＰＤ制御部３１４
３１５  ５Ｖ・Ｐｏｗｅｒ検知部
３１６  ＥＤＩＤ格納部
３２１  ＴＭＤＳトランスミッタ
３２４  ＨＰＤ検知部
３２５  ５Ｖ・Ｐｏｗｅｒ制御部
３３ａ  映像信号監視部
３３ｂ  ＣＥＣコマンド生成部
４０  ＴＶ
４１  チューナ部
４２  ＴＶ信号処理部
４３  合成処理部
４４  出力処理部
４５  音声出力部
４６  表示部
４７  制御部
４８  操作入力部
４９  リモコンインターフェース
５０  受光部５０
５１  ＨＤＭＩレシーバ
５２  リモコン
【図１】
2013219520.tif 000003
【図２】
2013219520.tif 000004
【図３】
2013219520.tif 000005
【図４】
2013219520.tif 000006
【図５】
2013219520.tif 000007
【図６】
2013219520.tif 000008
【図７】
2013219520.tif 000009